(57)【要約】【課題】接続対象物に対して複数の電線を接続可能な電気コネクタを小型化する。【解決手段】ピンコネクタ６は、ピンコンタクト２０とピンハウジング２１を備える。ピンコンタクト２０は、上ソケットコネクタ１０に電気的に接触する平板状の上接触部３１と、下ソケットコネクタ１１に電気的に接触する平板状の下接触部３２と、バッテリー２に電気的に接触する平板状の電極接触部３０と、を有する。上接触部３１の板厚方向と下接触部３２の板厚方向は、電極接触部３０の板厚方向に対して実質的に直角である。上ソケットコネクタ１０をピンコネクタ６に嵌合する方向と、下ソケットコネクタ１１をピンコネクタ６に嵌合する方向は、異なる方向である。【選択図】図１１
2015195095.tif 000002
【特許請求の範囲】
【請求項１】
接続対象物に取り付けられて、第１の電線に取り付けられた第１のコネクタと嵌合し、第２の電線に取り付けられた第２のコネクタと嵌合することで、前記第１の電線及び前記第２の電線を前記接続対象物に電気的に接続する、電気コネクタであって、
コンタクトと、
前記コンタクトに取り付けられ、前記電気コネクタに嵌合した前記第１のコネクタの前記電気コネクタからの抜け止めとしての第１の抜け止め部と、前記電気コネクタに嵌合した前記第２のコネクタの前記電気コネクタからの抜け止めとしての第２の抜け止め部と、を有するハウジングと、
を備え、
前記コンタクトは、
前記第１のコネクタに電気的に接触する平板状の第１の接触部と、
前記第２のコネクタに電気的に接触する平板状の第２の接触部と、
前記接続対象物に電気的に接触する平板状の第３の接触部と、
を有し、
前記第１の接触部の板厚方向と前記第２の接触部の板厚方向は、前記第３の接触部の板厚方向に対して実質的に直角であり、
前記第１のコネクタを前記電気コネクタに嵌合する方向と、前記第２のコネクタを前記電気コネクタに嵌合する方向は、異なる方向である、
電気コネクタ。
【請求項２】
請求項１に記載の電気コネクタであって、
前記第１のコネクタを前記電気コネクタに嵌合する方向と、前記第２のコネクタを前記電気コネクタに嵌合する方向は、反対の方向である、
電気コネクタ。
【請求項３】
請求項２に記載の電気コネクタであって、
前記第１のコネクタを前記電気コネクタに嵌合する方向と、前記第２のコネクタを前記電気コネクタに嵌合する方向は、前記第３の接触部の板厚方向に対して実質的に平行である、
電気コネクタ。
【請求項４】
請求項２又は３に記載の電気コネクタであって、
前記第１の接触部の中心軸は、前記第２の接触部の中心軸の仮想延長線から外れている、
電気コネクタ。
【請求項５】
請求項１〜４の何れかに記載の電気コネクタであって、
前記ハウジングは、
前記第１の接触部を覆う第１のカバー部と、
前記第２の接触部を覆う第２のカバー部と、
を有する、
電気コネクタ。
【請求項６】
請求項５に記載の電気コネクタであって、
前記第１のカバー部は、前記第１の接触部の先端面と両側端面に沿って延びる複数の梁体によって構成された第１の内側カバー部と、前記第１の内側カバー部の外側に配置されて、前記第１のコネクタが挿入される空間を形成する第１の外側カバー部と、を有し、
前記第２のカバー部は、前記第２の接触部の先端面と両側端面に沿って延びる複数の梁体によって構成された第２の内側カバー部と、前記第２の内側カバー部の外側に配置されて、前記第２のコネクタが挿入される空間を形成する第２の外側カバー部と、を有する、
電気コネクタ。
【請求項７】
請求項５又は６に記載の電気コネクタであって、
前記ハウジングは、前記第１のカバー部を含む第１のハウジング分割体と、前記第２のカバー部を含む第２のハウジング分割体と、を含む少なくとも２つの部品によって構成されている、
電気コネクタ。
【請求項８】
請求項７に記載の電気コネクタであって、
前記第１のハウジング分割体は、前記第２の接触部と前記第３の接触部の接続部分としての第２の接続部分を覆う第１の接続部分カバー部を有し、
前記第２のハウジング分割体は、前記第１の接触部と前記第３の接触部の接続部分としての第１の接続部分を覆う第２の接続部分カバー部を有する、
電気コネクタ。
【請求項９】
請求項５に記載の電気コネクタであって、
前記第１の抜け止め部は、前記第１のカバー部の、前記第１の接触部の側端面に対向する側壁に形成されており、
前記第２の抜け止め部は、前記第２のカバー部の、前記第２の接触部の側端面に対向する側壁に形成されている、
電気コネクタ。
【請求項１０】
接続対象物と、
第１の電線に取り付けられた第１のコネクタと、第２の電線に取り付けられた第２のコネクタと、前記接続対象物に取り付けられ、前記第１のコネクタと嵌合し、前記第２のコネクタと嵌合することで、前記第１の電線及び前記第２の電線を前記接続対象物に電気的に接続する、電気コネクタと、を含むコネクタ組立体と、
を備え、
前記電気コネクタは、
コンタクトと、
前記コンタクトに取り付けられ、前記電気コネクタに嵌合した前記第１のコネクタの前記電気コネクタからの抜け止めとしての第１の抜け止め部と、前記電気コネクタに嵌合した前記第２のコネクタの前記電気コネクタからの抜け止めとしての第２の抜け止め部と、を有するハウジングと、
を備え、
前記コンタクトは、
前記第１のコネクタに電気的に接触する平板状の第１の接触部と、
前記第２のコネクタに電気的に接触する平板状の第２の接触部と、
前記接続対象物に電気的に接触する平板状の第３の接触部と、
を有し、
前記第１の接触部の板厚方向と前記第２の接触部の板厚方向は、前記第３の接触部の板厚方向に対して実質的に直角であり、
前記第１のコネクタを前記電気コネクタに嵌合する方向と、前記第２のコネクタを前記電気コネクタに嵌合する方向は、異なる方向である、
接続対象物ユニット。
【請求項１１】
請求項１０に記載の前記接続対象物ユニットを前記第３の接触部の板厚方向に複数配置した、
接続対象物ユニット集合体。
【発明の詳細な説明】
【技術分野】
【０００１】
本発明は、電気コネクタ、接続対象物ユニット、接続対象物ユニット集合体に関する。
【背景技術】
【０００２】
この種の技術として、特許文献１は、本願の図２２に示すように、バッテリー１００に接続ケーブル１０１を接続するためのプラグコネクタ１０２及びレセプタクルコネクタ１０３を開示している。プラグコネクタ１０２は、接続ケーブル１０１の端部に取り付けられる。レセプタクルコネクタ１０３は、バッテリー１００のバッテリー本体１０４の上面１０５から突出したオネジ状のバッテリーポスト１０６にナット１０７で取り付けられる。レセプタクルコネクタ１０３は、ボルト締結用のボルト孔１０８が形成されたレセプタクルコンタクト１０９と、レセプタクルハウジング１１０と、によって構成されている。以上の構成で、プラグコネクタ１０２をレセプタクルコネクタ１０３に嵌合させると、バッテリー１００に接続ケーブル１０１が接続される。
【先行技術文献】
【特許文献】
【０００３】
【特許文献１】特許第５３５２７２３号公報
【発明の概要】
【発明が解決しようとする課題】
【０００４】
ところで、バッテリー１００のバッテリーポスト１０６に複数の接続ケーブル１０１を同時に接続したいという要望があった。同時に、レセプタクルコネクタ１０３の更なる小型化の要請も出ている。
【０００５】
本発明の目的は、接続対象物に対して複数の電線を接続可能な電気コネクタを小型化する技術を提供することにある。
【課題を解決するための手段】
【０００６】
本願発明の第１の観点によれば、接続対象物に取り付けられて、第１の電線に取り付けられた第１のコネクタと嵌合し、第２の電線に取り付けられた第２のコネクタと嵌合することで、前記第１の電線及び前記第２の電線を前記接続対象物に電気的に接続する、電気コネクタであって、コンタクトと、前記コンタクトに取り付けられ、前記電気コネクタに嵌合した前記第１のコネクタの前記電気コネクタからの抜け止めとしての第１の抜け止め部と、前記電気コネクタに嵌合した前記第２のコネクタの前記電気コネクタからの抜け止めとしての第２の抜け止め部と、を有するハウジングと、を備え、前記コンタクトは、前記第１のコネクタに電気的に接触する平板状の第１の接触部と、
前記第２のコネクタに電気的に接触する平板状の第２の接触部と、前記接続対象物に電気的に接触する平板状の第３の接触部と、を有し、前記第１の接触部の板厚方向と前記第２の接触部の板厚方向は、前記第３の接触部の板厚方向に対して実質的に直角であり、前記第１のコネクタを前記電気コネクタに嵌合する方向と、前記第２のコネクタを前記電気コネクタに嵌合する方向は、異なる方向である、電気コネクタが提供される。
前記第１のコネクタを前記電気コネクタに嵌合する方向と、前記第２のコネクタを前記電気コネクタに嵌合する方向は、反対の方向である。
前記第１のコネクタを前記電気コネクタに嵌合する方向と、前記第２のコネクタを前記電気コネクタに嵌合する方向は、前記第３の接触部の板厚方向に対して実質的に平行である。
前記第１の接触部の中心軸は、前記第２の接触部の中心軸の仮想延長線から外れている。
前記ハウジングは、前記第１の接触部を覆う第１のカバー部と、前記第２の接触部を覆う第２のカバー部と、を有する。
前記第１のカバー部は、前記第１の接触部の先端面と両側端面に沿って延びる複数の梁体によって構成された第１の内側カバー部と、前記第１の内側カバー部の外側に配置されて、前記第１のコネクタが挿入される空間を形成する第１の外側カバー部と、を有し、前記第２のカバー部は、前記第２の接触部の先端面と両側端面に沿って延びる複数の梁体によって構成された第２の内側カバー部と、前記第２の内側カバー部の外側に配置されて、前記第２のコネクタが挿入される空間を形成する第２の外側カバー部と、を有する。
前記ハウジングは、前記第１のカバー部を含む第１のハウジング分割体と、前記第２のカバー部を含む第２のハウジング分割体と、を含む少なくとも２つの部品によって構成されている。
前記第１のハウジング分割体は、前記第２の接触部と前記第３の接触部の接続部分としての第２の接続部分を覆う第１の接続部分カバー部を有し、前記第２のハウジング分割体は、前記第１の接触部と前記第３の接触部の接続部分としての第１の接続部分を覆う第２の接続部分カバー部を有する。
前記第１の抜け止め部は、前記第１のカバー部の、前記第１の接触部の側端面に対向する側壁に形成されており、前記第２の抜け止め部は、前記第２のカバー部の、前記第２の接触部の側端面に対向する側壁に形成されている。
本願発明の第２の観点によれば、接続対象物と、第１の電線に取り付けられた第１のコネクタと、第２の電線に取り付けられた第２のコネクタと、前記接続対象物に取り付けられ、前記第１のコネクタと嵌合し、前記第２のコネクタと嵌合することで、前記第１の電線及び前記第２の電線を前記接続対象物に電気的に接続する、電気コネクタと、を含むコネクタ組立体と、を備え、前記電気コネクタは、コンタクトと、前記コンタクトに取り付けられ、前記電気コネクタに嵌合した前記第１のコネクタの前記電気コネクタからの抜け止めとしての第１の抜け止め部と、前記電気コネクタに嵌合した前記第２のコネクタの前記電気コネクタからの抜け止めとしての第２の抜け止め部と、を有するハウジングと、を備え、前記コンタクトは、前記第１のコネクタに電気的に接触する平板状の第１の接触部と、前記第２のコネクタに電気的に接触する平板状の第２の接触部と、前記接続対象物に電気的に接触する平板状の第３の接触部と、を有し、前記第１の接触部の板厚方向と前記第２の接触部の板厚方向は、前記第３の接触部の板厚方向に対して実質的に直角であり、前記第１のコネクタを前記電気コネクタに嵌合する方向と、前記第２のコネクタを前記電気コネクタに嵌合する方向は、異なる方向である、接続対象物ユニットが提供される。
前記接続対象物ユニットを前記第３の接触部の板厚方向に複数配置した、接続対象物ユニット集合体が提供される。
【発明の効果】
【０００７】
本発明によれば、接続対象物に対して複数の電線を接続可能な電気コネクタを小型化することができる。
【図面の簡単な説明】
【０００８】
【図１】コネクタ組立体の斜視図である。（第１実施形態）
【図２】コネクタ組立体が取り付けられたバッテリーの斜視図である。（第１実施形態）
【図３】複数のバッテリーが相互に接続されている状態を示す斜視図である。（第１実施形態）
【図４】ピンコネクタの斜視図である。（第１実施形態）
【図５】ピンコネクタの一部切り欠き斜視図である。（第１実施形態）
【図６】ピンコネクタの一部切り欠き斜視図である。（第１実施形態）
【図７】ピンコネクタの別の角度から見た斜視図である。（第１実施形態）
【図８】ピンコネクタの更に別の角度から見た斜視図である。（第１実施形態）
【図９】ピンコネクタの分解斜視図である。（第１実施形態）
【図１０】ピンコネクタの分解斜視図である。（第１実施形態）
【図１１】ピンコンタクトの斜視図である。（第１実施形態）
【図１２】ピンコンタクトの別の角度から見た斜視図である。（第１実施形態）
【図１３】上ハウジング分割体の斜視図である。（第１実施形態）
【図１４】上ハウジング分割体の一部切り欠き斜視図である。（第１実施形態）
【図１５】上ハウジング分割体の一部切り欠き斜視図である。（第１実施形態）
【図１６】ピンコネクタの平面図である。（第１実施形態）
【図１７】ケーブルの端部に取り付けられたソケットコネクタの一部切り欠き斜視図である。（第１実施形態）
【図１８】ケーブルの端部に取り付けられたソケットコネクタの一部切り欠き斜視図である。（第１実施形態）
【図１９】ピンコンタクトの斜視図である。（第２実施形態）
【図２０】ピンコンタクトの斜視図である。（第３実施形態）
【図２１】ピンコンタクトの斜視図である。（第４実施形態）
【図２２】特許文献１の図５に相当する図である。
【発明を実施するための形態】
【０００９】
（第１実施形態）
図１〜図３には、コネクタ組立体１を示している。本実施形態において、コネクタ組立体１は、図２及び図３に示すように、所定の方向に並べられた複数のバッテリー２（接続対象物）を複数のケーブル３で電気的に接続するためのものである。
【００１０】
図２に示すように、各バッテリー２は、直方体状のバッテリー本体４と、一対の電極５と、を有する。バッテリー本体４は、長方形状の上面４ａ（電極配置面）及び正面４ｂ、背面４ｃ、下面４ｄ、一対の側面４ｅを有する。一対の電極５は、バッテリー本体４の上面４ａに設けられている。一対の電極５は、バッテリー本体４の上面４ａの長手方向の両端部に配置されている。
【００１１】
ここで、「バッテリー上下方向」「バッテリー幅方向」「バッテリー前後方向」を定義する。バッテリー上下方向は、上面４ａに対して直交する方向である。バッテリー上下方向は、上方向と下方向を有する。上方向は、下面４ｄから上面４ａに向かう方向である。下方向は、上面４ａから下面４ｄに向かう方向である。バッテリー幅方向は、上面４ａの長手方向である。バッテリー幅方向は、バッテリー幅中央方向とバッテリー幅反中央方向を有する。バッテリー幅中央方向は、バッテリー幅方向のうち上面４ａの長手方向の中央に近づく方向である。バッテリー幅反中央方向は、バッテリー幅方向のうち上面４ａの長手方向の中央から離れる方向である。バッテリー前後方向は、バッテリー上下方向及びバッテリー幅方向に対して直交する方向である。バッテリー前後方向は、正面４ｂから背面４ｃへ向かうバッテリー後ろ方向と、背面４ｃから正面４ｂへ向かうバッテリー前方向と、を有する。
【００１２】
本実施形態では、図３に示すように、複数のバッテリー２は、バッテリー収納棚などを用いて上下方向に所定ピッチで並べられている。
【００１３】
図１に示すように、コネクタ組立体１は、ピンコネクタ６（電気コネクタ）と一対のソケットコネクタ７を有する。図１には、一対のソケットコネクタ７がピンコネクタ６と嵌合している状態を示している。説明の便宜上、ピンコネクタ６から見て上方向側のソケットコネクタ７を上ソケットコネクタ１０（第１のコネクタ）とし、ピンコネクタ６から見て下方向側のソケットコネクタ７を下ソケットコネクタ１１（第２のコネクタ）とする。また、コネクタ組立体１から見て上方向側のケーブル３を上ケーブル１２（第１の電線）とし、コネクタ組立体１から見て下方向側のケーブル３を下ケーブル１３（第２の電線）とする。
【００１４】
図１及び図２に示すように、ピンコネクタ６は、一対の電極５のうち一方の電極５に取り付けられるコネクタである。上ソケットコネクタ１０は、上ケーブル１２の端部に取り付けられるコネクタである。下ソケットコネクタ１１は、下ケーブル１３の端部に取り付けられるコネクタである。そして、上ソケットコネクタ１０及び下ソケットコネクタ１１をピンコネクタ６に嵌合することで、上ケーブル１２及び下ケーブル１３が、図２に示すバッテリー２の一方の電極５に電気的に接続される。
【００１５】
（ピンコネクタ６）
次に、図４〜図１６を参照して、ピンコネクタ６を説明する。
【００１６】
図４、図７及び図８には、ピンコネクタ６を様々な方向から見た斜視図を示している。図５及び図６には、一部を切り欠いたピンコネクタ６の斜視図を示している。図９及び図１０には、ピンコネクタ６の分解図を示している。図４〜図１０に示すように、ピンコネクタ６は、ピンコンタクト２０（コンタクト）と、ピンハウジング２１（ハウジング）と、２つのネジ２２と、を有する。ピンハウジング２１は、上ハウジング分割体２３（第１のハウジング分割体）と、上ハウジング分割体２３よりも下方向側に配置される下ハウジング分割体２４（第２のハウジング分割体）と、を有する。そして、上ハウジング分割体２３と下ハウジング分割体２４をピンコンタクト２０に被せた状態で、上ハウジング分割体２３と下ハウジング分割体２４を２つのネジ２２で結合することで、ピンハウジング２１がピンコンタクト２０に取り付けられる。
【００１７】
（ピンコンタクト２０）
図１１及び図１２には、ピンコンタクト２０を異なる方向から見た斜視図を示している。図１１及び図１２に示すように、ピンコンタクト２０は、板厚が約３mmの金属板Mを折り曲げて形成されている。具体的には、ピンコンタクト２０は、電極接触部３０（第３の接触部）と上接触部３１（第１の接触部）、下接触部３２（第２の接触部）を有する。
【００１８】
電極接触部３０は、平板状であって、その板厚方向はバッテリー上下方向に対して実質的に平行である。電極接触部３０は、バッテリー幅方向に細長い長方形状に形成されている。電極接触部３０は、ピンコンタクト２０をバッテリー２の電極５へ取り付けるための取り付け孔３３を有する。
【００１９】
上接触部３１は、平板状であって、その板厚方向はバッテリー幅方向に対して実質的に平行である。即ち、上接触部３１の板厚方向は、電極接触部３０の板厚方向に対して実質的に直角である。上接触部３１は、電極接触部３０のバッテリー幅反中央方向側の端部から上方向に突出するように形成されている。上接触部３１は、先端面３１ａと一対の側端面３１ｂ、一対の接触面３１ｃを有する。先端面３１ａは、バッテリー上下方向に対して実質的に直交する面である。一対の側端面３１ｂは、バッテリー前後方向に対して実質的に直交する面である。一対の接触面３１ｃは、バッテリー幅方向に対して実質的に直交する面である。上接触部３１と電極接触部３０の間には、上接続部分３４（第１の接続部分、第１の折り目、第１の曲げ部）が形成されている。上接触部３１と電極接触部３０は、上接続部分３４において接続している。上接続部分３４は、平板状の上接触部３１と平板状の電極接触部３０が接続する部分であるから、必然的に直線的な外観を呈する。直線的な外観の上接続部分３４は、バッテリー前後方向に延びている。上接触部３１は、中心軸C1を有する。中心軸C1は、上接触部３１の突出方向に対して平行な方向における上接触部３１の中心軸である。
【００２０】
下接触部３２は、平板状であって、その板厚方向はバッテリー幅方向に対して実質的に平行である。即ち、下接触部３２の板厚方向は、電極接触部３０の板厚方向に対して実質的に直角である。下接触部３２は、電極接触部３０のバッテリー幅反中央方向側の端部から下方向に突出するように形成されている。下接触部３２は、先端面３２ａと一対の側端面３２ｂ、一対の接触面３２ｃを有する。先端面３２ａは、バッテリー上下方向に対して実質的に直交する面である。一対の側端面３２ｂは、バッテリー前後方向に対して実質的に直交する面である。一対の接触面３２ｃは、バッテリー幅方向に対して実質的に直交する面である。下接触部３２と電極接触部３０の間には、下接続部分３５（第２の接続部分、第２の折り目、第２の曲げ部）が形成されている。下接触部３２と電極接触部３０は、下接続部分３５において接続している。下接続部分３５は、平板状の下接触部３２と平板状の電極接触部３０が接続する部分であるから、必然的に直線的な外観を呈する。直線的な外観の下接続部分３５は、バッテリー前後方向に延びている。下接触部３２は、中心軸C2を有する。中心軸C2は、下接触部３２の突出方向に対して平行な方向における下接触部３２の中心軸である。
【００２１】
本実施形態において、上接触部３１及び下接触部３２は、バッテリー前後方向において異なる位置に配置されている。即ち、上接触部３１の中心軸C1は、下接触部３２の中心軸C2の仮想延長線Qから外れている。具体的には、上接触部３１は、下接触部３２よりもバッテリー後ろ方向側に位置している。
【００２２】
また、上接触部３１及び下接触部３２は、バッテリー幅方向において同じ位置に配置されている。
【００２３】
また、上接触部３１及び下接触部３２は、バッテリー上下方向において異なる位置に配置されている。具体的には、上接触部３１は、下接触部３２よりも上方向側に位置している。即ち、上接触部３１の電極接触部３０からの突出方向と、下接触部３２の電極接触部３０からの突出方向は、反対である。
【００２４】
そして、上接触部３１の板厚方向と、下接触部３２の板厚方向は、互いに実質的に平行である。
【００２５】
（上ハウジング分割体２３）
本実施形態において、上ハウジング分割体２３と下ハウジング分割体２４は、同一形状である。そして、図４に示すように、下ハウジング分割体２４は、バッテリー幅方向に対して平行な回転軸で上ハウジング分割体２３を１８０度回転させた姿勢で配置される。従って、以下、上ハウジング分割体２３についてのみ説明することとし、下ハウジング分割体２４の説明は省略する。図１３〜図１５には、上ハウジング分割体２３の斜視図を示している。
【００２６】
図１３〜図１５に示すように、上ハウジング分割体２３は、平板状のベース４０と内側カバー部４１（第１の内側カバー部）、外側カバー部４２（第１の外側カバー部）を有する。
【００２７】
ベース４０は、平板状であって、その板厚方向はバッテリー上下方向に対して実質的に平行である。ベース４０は、バッテリー前後方向に細長い長方形状に形成されている。ベース４０は、バッテリー後ろ方向寄りのカバー支持部４３と、バッテリー前方向寄りの接続部分カバー部４４（第１の接続部分カバー部）と、を有する。図１５に示すように、カバー支持部４３には、図１１に示すピンコンタクト２０の上接触部３１が上方向に向かって挿入可能な挿入孔４５が形成されている。図１３及び図１４に示すように、接続部分カバー部４４には、上ハウジング分割体２３と下ハウジング分割体２４をネジ２２で結合するためのネジ孔４６が形成されている。
【００２８】
図１４に示すように、内側カバー部４１は、カバー支持部４３から上方向に向かって突出するように形成されている。内側カバー部４１は、先端面カバー部４７、一対の側端面カバー部４８、一対の補強ビーム部４９を有する。先端面カバー部４７は、図１１のピンコンタクト２０の上接触部３１の先端面３１ａを覆う梁体である。先端面カバー部４７は、図１１の先端面３１ａに沿って延びている。即ち、先端面カバー部４７は、バッテリー前後方向に延びている。一対の側端面カバー部４８は、図１１のピンコンタクト２０の上接触部３１の一対の側端面３１ｂを夫々覆う梁体である。一対の側端面カバー部４８は、図１１の一対の側端面３１ｂに沿って夫々延びている。即ち、一対の側端面カバー部４８は、バッテリー上下方向に延びている。詳しくは、一対の側端面カバー部４８は、ベース４０のカバー支持部４３から上方向に突出し、先端面カバー部４７の両端部に夫々至るまで、延びている。一対の補強ビーム部４９は、先端面カバー部４７を補強するための梁体である。一対の補強ビーム部４９は、図１１の一対の接触面３１ｃに沿って夫々延びている。即ち、一対の補強ビーム部４９は、バッテリー上下方向に延びている。詳しくは、一対の補強ビーム部４９は、ベース４０のカバー支持部４３から上方向に突出し、先端面カバー部４７の長手方向の中央に夫々至るまで、延びている。以上の構成で、内側カバー部４１内には、図１１に示すピンコンタクト２０の上接触部３１が挿入される接触部挿入空間５０が形成されている。
【００２９】
図１３及び図１５に示すように、外側カバー部４２は、内側カバー部４１の外側に配置されて、図１に示す上ソケットコネクタ１０が挿入されるコネクタ挿入空間５１を形成する部分である。図１３及び図１５に示すように、外側カバー部４２は、バッテリー上下方向に延びる角筒状に形成されている。図１３〜図１５に示すように、外側カバー部４２は、カバー支持部４３から上方向に突出して形成されている。図１３に示すように、外側カバー部４２は、扁平状に形成されている。詳しくは、外側カバー部４２のバッテリー幅方向の寸法は、外側カバー部４２のバッテリー前後方向の寸法よりも小さい。外側カバー部４２は、バッテリー幅方向に対向する一対の大側壁５２と、バッテリー前後方向に対向する一対の小側壁５３（側壁）と、を有する。一対の大側壁５２は、コネクタ挿入空間５１をバッテリー幅方向で区画する。一対の小側壁５３は、コネクタ挿入空間５１をバッテリー前後方向で区画する。一対の小側壁５３は、図１１の一対の側端面３１ｂに夫々対向する側壁である。即ち、バッテリー後ろ方向側の小側壁５３はバッテリー後ろ方向側の側端面３１ｂを挟んでバッテリー前方向側の側端面３１ｂと反対側の側壁であり、バッテリー前方向側の小側壁５３はバッテリー前方向側の側端面３１ｂを挟んでバッテリー後ろ方向側の側端面３１ｂと反対側の側壁である。一対の小側壁５３には、一対のピン側ロック部５４が夫々形成されている。一対のピン側ロック部５４は、ピンコネクタ６と嵌合した上ソケットコネクタ１０のピンコネクタ６からの抜け止めとして機能する部分である。そして、一対のピン側ロック部５４が一対の大側壁５２ではなく一対の小側壁５３に夫々形成されていることで、図１６に示すように、外側カバー部４２のバッテリー幅方向における寸法Wが抑えられている。
【００３０】
図１３に示すように、上ハウジング分割体２３は、更に、補強リブ５５を有する。補強リブ５５は、外側カバー部４２と接続部分カバー部４４の間に形成されている。
【００３１】
（ピンコネクタ６の組み立て）
ピンコネクタ６を組み立てるには、図９及び図１０に示すように、ピンコンタクト２０の上接触部３１を上ハウジング分割体２３の挿入孔４５に挿入すると共に、ピンコンタクト２０の下接触部３２を下ハウジング分割体２４の挿入孔４５に挿入し、一対のネジ２２を用いて上ハウジング分割体２３と下ハウジング分割体２４を結合すればよい。結合後、図５及び図６に示すように、ピンコンタクト２０の上接触部３１は上ハウジング分割体２３の内側カバー部４１から部分的に露出し、同様に、ピンコンタクト２０の下接触部３２は下ハウジング分割体２４の内側カバー部４１から部分的に露出する。
【００３２】
（上ソケットコネクタ１０）
本実施形態において、上ソケットコネクタ１０と下ソケットコネクタ１１は、同一形状であるから、上ソケットコネクタ１０についてのみ説明することとし、下ソケットコネクタ１１の説明は省略する。図１７及び図１８には、一部を切り欠いた上ソケットコネクタ１０の斜視図を示している。
【００３３】
図１７及び図１８に示すように、上ソケットコネクタ１０は、ソケットコンタクト６０と、ソケットコンタクト６０を収容するソケットハウジング６１と、を有する。
【００３４】
ソケットコンタクト６０は、上ケーブル１２の導体に圧着される圧着部６２と、８つの接触バネ片６３と、８つの接触バネ片６３を保持する角筒状の保持部６４と、を有する。８つの接触バネ片６３は、バッテリー幅方向において４つずつに分かれて配置されている。
【００３５】
ソケットハウジング６１は、バッテリー上下方向に角筒状に延びるハウジング本体６５と、ハウジング本体６５の下方向側の開口６５ａを部分的に閉塞する開口制限部６６と、一対のソケット側ロック部６７と、を有する。開口制限部６６は、ハウジング本体６５の開口６５ａを部分的に閉塞することで、ハウジング本体６５の開口６５ａの開口面積を必要最小限としている。ここで、「必要最小限」とは、ハウジング本体６５の開口６５ａに図６に示すピンコンタクト２０の上接触部３１と、上ハウジング分割体２３の内側カバー部４１とを挿入できるために必要となる開口面積の最低限度を意味している。従って、開口制限部６６は、ソケットコンタクト６０の８つの接触バネ片６３とバッテリー上下方向で対向するバネ片対向部６６ａを有する。一対のソケット側ロック部６７は、ツメ状に形成されており、バッテリー前後方向に弾性変位可能にハウジング本体６５に支持されている。
【００３６】
（コネクタ組立体１の使用方法）
次に、図１〜図３を参照して、コネクタ組立体１の使用方法を説明する。
【００３７】
先ず、各バッテリー２の一対の電極５にピンコネクタ６を夫々取り付ける。次に、複数のバッテリー２を、バッテリー収容棚等を用いて、バッテリー上下方向に所定ピッチで配置する。次に、所定長さに切断したケーブル３の両端にソケットコネクタ７を取り付ける。そして、最後に、図３に示すように、ケーブル３をバッテリー前後方向で若干撓ませながら、両端に取り付けた一対のソケットコネクタ７をバッテリー上下方向に隣り合う一対のバッテリー２のピンコネクタ６に夫々嵌合させる。具体的には、ケーブル３の上端に取り付けた下ソケットコネクタ１１をケーブル３から見て上方向側に位置するピンコネクタ６の下ハウジング分割体２４のコネクタ挿入空間５１（図１３参照）内に上方向で挿入し、下ソケットコネクタ１１の一対のソケット側ロック部６７（図１７参照）をピンコネクタ６の下ハウジング分割体２４の一対のピン側ロック部５４（図１３参照）に引っ掛けることで、下ソケットコネクタ１１をピンコネクタ６に嵌合させる。同様に、ケーブル３の下端に取り付けた上ソケットコネクタ１０をケーブル３から見て下方向側に位置するピンコネクタ６の上ハウジング分割体２３のコネクタ挿入空間５１（図１３参照）内に下方向で挿入し、上ソケットコネクタ１０の一対のソケット側ロック部６７（図１７参照）をピンコネクタ６の上ハウジング分割体２３の一対のピン側ロック部５４（図１３参照）に引っ掛けることで、上ソケットコネクタ１０をピンコネクタ６に嵌合させる。これにより、バッテリー上下方向に隣り合う一対のバッテリー２の電極５同士が電気的に接続される。詳しく見ていくと、ケーブル３の上端に取り付けた下ソケットコネクタ１１のソケットコンタクト６０の８つの接触バネ片６３が、ピンコネクタ６のピンコンタクト２０の下接触部３２の一対の接触面３２ｃに夫々接触する。同様に、ケーブル３の下端に取り付けた上ソケットコネクタ１０のソケットコンタクト６０の８つの接触バネ片６３が、ピンコネクタ６のピンコンタクト２０の上接触部３１の一対の接触面３１ｃに夫々接触する。
【００３８】
以上に、第１実施形態のコネクタ組立体１を説明したが、コネクタ組立体１は、以下の特長を有する。
【００３９】
（１）図１〜図１２に示すように、ピンコネクタ６（電気コネクタ）は、バッテリー２（接続対象物）に取り付けられて、上ケーブル１２（第１の電線）に取り付けられた上ソケットコネクタ１０（第１のコネクタ）と嵌合し、下ケーブル１３（第２の電線）に取り付けられた下ソケットコネクタ１１（第２のコネクタ）と嵌合することで、上ケーブル１２及び下ケーブル１３をバッテリー２に電気的に接続するものである。ピンコネクタ６は、ピンコンタクト２０（コンタクト）と、ピンコンタクト２０に取り付けられ、ピンコネクタ６に嵌合した上ソケットコネクタ１０のピンコネクタ６の抜け止めとしての一対のピン側ロック部５４（第１の抜け止め部）と、ピンコネクタ６に嵌合した下ソケットコネクタ１１のピンコネクタ６からの抜け止めとしての一対のピン側ロック部５４（第２の抜け止め部）と、を有するピンハウジング２１（ハウジング）と、を備える。ピンコンタクト２０は、上ソケットコネクタ１０に電気的に接触する平板状の上接触部３１（第１の接触部）と、下ソケットコネクタ１１に電気的に接触する平板状の下接触部３２（第２の接触部）と、バッテリー２に電気的に接触する平板状の電極接触部３０（第３の接触部）と、を有する。上接触部３１の板厚方向と下接触部３２の板厚方向は、電極接触部３０の板厚方向に対して実質的に直角である。上ソケットコネクタ１０をピンコネクタ６に嵌合する方向と、下ソケットコネクタ１１をピンコネクタ６に嵌合する方向は、異なる方向である。以上の構成によれば、上接触部３１の板厚方向と下接触部３２の板厚方向が電極接触部３０の板厚方向に対して平行であったり斜めである場合と比較して、電極接触部３０の板厚方向で見て、ピンコネクタ６のバッテリー幅方向における小型化に寄与する。
【００４０】
（２）図１に示すように、上ソケットコネクタ１０をピンコネクタ６に嵌合する方向と、下ソケットコネクタ１１をピンコネクタ６に嵌合する方向は、反対の方向である。以上の構成によれば、図３に示すように、上ソケットコネクタ１０をピンコネクタ６に嵌合する方向に沿って複数のバッテリー２を並べた際、ピンコネクタ６は、隣り合う一対のバッテリー２間を接続するのに好適となる。
【００４１】
（３）図１に示すように、上ソケットコネクタ１０をピンコネクタ６に嵌合する方向と、下ソケットコネクタ１１をピンコネクタ６に嵌合する方向は、電極接触部３０の板厚方向に対して実質的に平行である。以上の構成によれば、電極接触部３０の板厚方向に沿って複数のバッテリー２を並べた際、ピンコネクタ６は、隣り合う一対のバッテリー２間を接続するのに好適となる。
【００４２】
（４）図１１及び図１２に示すように、上接触部３１の中心軸C1は、下接触部３２の中心軸C2の仮想延長線Qから外れている。以上の構成によれば、上ソケットコネクタ１０をピンコネクタ６に嵌合する方向に沿って複数のバッテリー２を並べた際、隣り合う一対のバッテリー２の一方に取り付けられたピンコネクタ６の上接触部３１の中心軸C1は、他方に取り付けられたピンコネクタ６の下接触部３２の中心軸C2の仮想延長線Qから外れることになる。従って、隣り合う一対のバッテリー２をケーブル３で接続する際、ケーブル３は必然的に撓むことになり、上接触部３１の中心軸C1と下接触部３２の中心軸C2が一致している場合と比較して、ケーブル３の長さを厳密に管理する手間が省ける。
【００４３】
（５）図１３及び図１５に示すように、ピンハウジング２１は、上接触部３１を覆う上ハウジング分割体２３のカバー部７０（第１のカバー部）と、下接触部３２を覆う下ハウジング分割体２４のカバー部７０（第２のカバー部）と、を有する。以上の構成によれば、上接触部３１が上ハウジング分割体２３のカバー部７０によって、下接触部３２がカバー部７０によって、夫々覆われているので、上接触部３１や下接触部３２が直接指で触り難くなり、感電防止に寄与する。
【００４４】
なお、カバー部７０は、内側カバー部４１と外側カバー部４２を含む部分である。
【００４５】
（６）上ハウジング分割体２３（第１のハウジング分割体）のカバー部７０は、上接触部３１の先端面３１ａと両側端面３１ｂに沿って延びる先端面カバー部４７及び側端面カバー部４８（複数の梁体）によって構成された内側カバー部４１（第１の内側カバー部）と、内側カバー部４１の外側に配置されて、上ソケットコネクタ１０が挿入されるコネクタ挿入空間５１（空間）を形成する外側カバー部４２（第１の外側カバー部）と、を有する。下ハウジング分割体２４（第２のハウジング分割体）のカバー部７０は、下接触部３２の先端面３２ａと両側端面３２ｂに沿って延びる先端面カバー部４７及び側端面カバー部４８（複数の梁体）によって構成された内側カバー部４１（第２の内側カバー部）と、内側カバー部４１の外側に配置されて、下ソケットコネクタ１１が挿入されるコネクタ挿入空間５１（空間）を形成する外側カバー部４２（第２の外側カバー部）と、を有する。以上の構成によれば、上接触部３１や下接触部３２が直接指で一層触り難くなり、感電防止に大きく寄与する。
【００４６】
（７）ピンハウジング２１は、上ハウジング分割体２３と下ハウジング分割体２４を含む少なくとも２つの部品によって構成されている。即ち、ピンハウジング２１は、上ハウジング分割体２３と下ハウジング分割体２４によって構成されている。上ハウジング分割体２３は、上接触部３１を覆うカバー部７０を有する。下ハウジング分割体２４は、下接触部３２を覆うカバー部７０を有する。以上の構成によれば、ピンハウジング２１を少なくとも２つの部品によって構成した場合であっても、上接触部３１を覆うカバー部７０自体が分割されることもなく、下接触部３２を覆うカバー部７０自体が分割されることもない。従って、ピンハウジング２１を少なくとも２つの部品によって構成した場合であっても、上接触部３１を覆うカバー部７０及び下接触部３２を覆うカバー部７０の強度を容易に確保することができる。
【００４７】
（８）図１１及び図１３に示すように、上ハウジング分割体２３は、下接触部３２と電極接触部３０の接続部分としての下接続部分３５（第２の接続部分）を覆う接続部分カバー部４４（第１の接続部分カバー部）を有する。同様に、下ハウジング分割体２４は、上接触部３１と電極接触部３０の接続部分としての上接続部分３４（第１の接続部分）を覆う接続部分カバー部４４（第２の接続部分カバー部）を有する。以上の構成によれば、上接続部分３４及び下接続部分３５を、部品点数を増やすことなく覆うことができるようになる。
【００４８】
（９）図１３に示すように、上ハウジング分割体２３において、一対のピン側ロック部５４は、カバー部７０の外側カバー部４２の、上接触部３１の側端面３１ｂに対向する小側壁５３（側壁）に形成されている。同様に、下ハウジング分割体２４において、一対のピン側ロック部５４は、カバー部７０の外側カバー部４２の、下接触部３２の側端面３２ｂに対向する小側壁５３（側壁）に形成されている。以上の構成によれば、上ハウジング分割体２３において、一対のピン側ロック部５４を、カバー部７０の外側カバー部４２の、上接触部３１に対して上接触部３１の板厚方向で対向する大側壁５２に形成し、下ハウジング分割体２４において、一対のピン側ロック部５４を、カバー部７０の外側カバー部４２の、下接触部３２に対して下接触部３２の板厚方向で対向する大側壁５２に形成した場合と比較して、図１６に示すように、電極接触部３０の板厚方向で見たピンコネクタ６の小型化に寄与する。
【００４９】
（１０）
図２に示すように、接続対象物ユニット７１は、バッテリー２と、コネクタ組立体１と、を備えて構成される。
【００５０】
（１１）
図３に示すように、接続対象物ユニット集合体７２は、接続対象物ユニット７１を電極接触部３０の板厚方向に複数配置して構成される。
【００５１】
また、図１１に示すように、上接触部３１の板厚方向と下接触部３２の板厚方向は、互いに実質的に平行である。以上の構成によれば、上接触部３１と下接触部３２が平行でない場合と比較して、ピンコネクタ６のバッテリー幅方向における小型化に寄与する。
【００５２】
また、図１１及び図１２に示すように、上接触部３１の一対の接触面３１ｃのうち電極接触部３０から遠い接触面３１ｃと、下接触部３２の一対の接触面３２ｃのうち電極接触部３０から遠い接触面３２ｃと、は実質的に同一平面内に位置している。以上の構成によれば、上接触部３１の一対の接触面３１ｃのうち電極接触部３０から遠い接触面３１ｃと、下接触部３２の一対の接触面３２ｃのうち電極接触部３０から遠い接触面３２ｃと、が実質的に同一平面内に位置していない場合と比較して、ピンコネクタ６のバッテリー幅方向における小型化に寄与する。
【００５３】
図１に示すように、本実施形態において、上ソケットコネクタ１０をピンコネクタ６に嵌合する方向は、下方向である。同様に、下ソケットコネクタ１１をピンコネクタ６に嵌合する方向は、上方向である。
【００５４】
図１〜図４に示すように、ピンコネクタ６がバッテリー２に取り付けられた状態で、ピンコネクタ６のピンハウジング２１の下ハウジング分割体２４は、バッテリー本体４の側面４ｅに対してバッテリー幅方向で対向している。
【００５５】
以上に、第１実施形態を説明したが、上記第１実施形態は以下のように変更できる。
【００５６】
上記第１実施形態では、図１１及び図１２に示すように、ピンコンタクト２０を、１枚の金属板Mを折り曲げて形成することとした。しかし、これに代えて、電極接触部３０と上接触部３１、下接触部３２を別部品として用意し、上接触部３１及び下接触部３２を電極接触部３０に溶接することとしてもよい。
【００５７】
（第２実施形態）
次に、図１９を参照して、第２実施形態を説明する。図１９には、ピンコンタクト２０の斜視図を示している。以下、本実施形態が上記第１実施形態と異なる点を中心に説明し、重複する説明は省略する。
【００５８】
図１９に示すように、本実施形態において、ピンコンタクト２０は、電極接触部３０（第３の接触部）と、後ろ接触部８０（第１の接触部）、前接触部８１（第２の接触部）を有する。
【００５９】
後ろ接触部８０の板厚方向と前接触部８１の板厚方向は、電極接触部３０の板厚方向に対して実質的に直角である。従って、ピンコネクタ６のバッテリー幅方向における小型化に寄与する。
【００６０】
後ろ接触部８０は、電極接触部３０からバッテリー後ろ方向に突出している。前接触部８１は、電極接触部３０からバッテリー前方向に突出している。従って、後ろ接触部８０に接続するコネクタがピンコネクタ６に嵌合する方向と、前接触部８１に接続するコネクタがピンコネクタ６に嵌合する方向は、反対の方向となる。具体的には、後ろ接触部８０に接続するコネクタがピンコネクタ６に嵌合する方向は、バッテリー前方向である。前接触部８１に接続するコネクタがピンコネクタ６に嵌合する方向は、バッテリー後ろ方向である。
【００６１】
後ろ接触部８０の中心軸C80は、前接触部８１の中心軸C81の仮想延長線Qから外れている。即ち、バッテリー上下方向において後ろ接触部８０と前接触部８１は異なる位置に配置されている。後ろ接触部８０は、電極接触部３０から上方向に折り曲げられて形成されている。前接触部８１は、電極接触部３０から下方向に折り曲げられて形成されている。従って、ケーブル３の長さを厳密に管理する手間が省ける。
【００６２】
（第３実施形態）
次に、図２０を参照して、第３実施形態を説明する。図２０には、ピンコンタクト２０の斜視図を示している。以下、本実施形態が上記第１実施形態と異なる点を中心に説明し、重複する説明は省略する。
【００６３】
図２０に示すように、本実施形態において、ピンコンタクト２０は、電極接触部３０（第３の接触部）と、後ろ接触部８２（第１の接触部）、前接触部８３（第２の接触部）を有する。
【００６４】
後ろ接触部８２の板厚方向と前接触部８３の板厚方向は、電極接触部３０の板厚方向に対して実質的に直角である。従って、ピンコネクタ６のバッテリー幅方向における小型化に寄与する。
【００６５】
後ろ接触部８２は、電極接触部３０からバッテリー後ろ方向に突出している。前接触部８３は、電極接触部３０からバッテリー前方向に突出している。従って、後ろ接触部８２に接続するコネクタがピンコネクタ６に嵌合する方向と、前接触部８３に接続するコネクタがピンコネクタ６に嵌合する方向は、反対の方向となる。具体的には、後ろ接触部８２に接続するコネクタがピンコネクタ６に嵌合する方向は、バッテリー前方向である。前接触部８３に接続するコネクタがピンコネクタ６に嵌合する方向は、バッテリー後ろ方向である。
【００６６】
（第４実施形態）
次に、図２１を参照して、第４実施形態を説明する。図２１には、ピンコンタクト２０の斜視図を示している。以下、本実施形態が上記第１実施形態と異なる点を中心に説明し、重複する説明は省略する。
【００６７】
図２１に示すように、本実施形態において、ピンコンタクト２０は、電極接触部３０（第３の接触部）と、上接触部８４（第１の接触部）、前接触部８５（第２の接触部）を有する。
【００６８】
上接触部８４の板厚方向と前接触部８５の板厚方向は、電極接触部３０の板厚方向に対して実質的に直角である。従って、ピンコネクタ６のバッテリー幅方向における小型化に寄与する。
【００６９】
上接触部８４は、電極接触部３０から上方向に突出している。前接触部８３は、電極接触部３０からバッテリー前方向に突出している。従って、上接触部８４に接続するコネクタがピンコネクタ６に嵌合する方向と、前接触部８５に接続するコネクタがピンコネクタ６に嵌合する方向は、異なる方向となる。具体的には、上接触部８４に接続するコネクタがピンコネクタ６に嵌合する方向は、下方向である。前接触部８５に接続するコネクタがピンコネクタ６に嵌合する方向は、バッテリー後ろ方向である。
【００７０】
従って、図３に示すように複数のバッテリー２をバッテリー上下方向に並べて配置した際に、最も下方向側に位置するバッテリー２に本実施形態のピンコネクタ６を取り付けると、下ソケットコネクタ１１とピンコネクタ６との嵌合作業が容易となる。
【符号の説明】
【００７１】
１  コネクタ組立体
２  バッテリー（接続対象物）
３  ケーブル（第１の電線、第２の電線）
４  バッテリー本体
４ａ  上面
４ｂ  正面
４ｃ  背面
４ｄ  下面
４ｅ  側面
５  電極
６  ピンコネクタ（電気コネクタ）
７  ソケットコネクタ（第１のコネクタ、第２のコネクタ）
１０  上ソケットコネクタ（第１のコネクタ）
１１  下ソケットコネクタ（第２のコネクタ）
１２  上ケーブル（第１の電線）
１３  下ケーブル（第２の電線）
２０  ピンコンタクト（コンタクト）
２１  ピンハウジング（ハウジング）
２２  ネジ
２３  上ハウジング分割体（第１のハウジング分割体）
２４  下ハウジング分割体（第２のハウジング分割体）
３０  電極接触部（第３の接触部）
３１  上接触部（第１の接触部）
３１ｂ  側端面
３１ａ  先端面
３１ｃ  接触面
３２  下接触部（第２の接触部）
３２ａ  先端面
３２ｂ  側端面
３２ｃ  接触面
３３  取り付け孔
３４  上接続部分（第１の接続部分）
３５  下接続部分（第２の接続部分）
４０  ベース
４１  内側カバー部（第１の内側カバー部、第２の内側カバー部）
４２  外側カバー部（第１の外側カバー部、第２の外側カバー部）
４３  カバー支持部
４４  接続部分カバー部（第１の接続部分カバー部、第２の接続部分カバー部）
４５  挿入孔
４６  ネジ孔
４７  先端面カバー部（梁体）
４８  側端面カバー部（梁体）
４９  補強ビーム部
５０  接触部挿入空間
５１  コネクタ挿入空間（空間）
５２  大側壁
５３  小側壁（側壁）
５４  ピン側ロック部（第１の抜け止め部、第２の抜け止め部）
５５  補強リブ
６０  ソケットコンタクト
６１  ソケットハウジング
６２  圧着部
６３  接触バネ片
６４  保持部
６５  ハウジング本体
６５ａ  開口
６６  開口制限部
６６ａ  バネ片対向部
６７  ソケット側ロック部
７０  カバー部（第１のカバー部、第２のカバー部）
７１  接続対象物ユニット
７２  接続対象物ユニット集合体
８０  後ろ接触部（第１の接触部）
８１  前接触部（第２の接触部）
８２  後ろ接触部（第１の接触部）
８３  前接触部（第２の接触部）
８４  上接触部（第１の接触部）
８５  前接触部（第２の接触部）
C1  中心軸
C2  中心軸
C80  中心軸
C81  中心軸
M  金属板
Q  仮想延長線
W  寸法
【図１】
2015195095.tif 000003
【図２】
2015195095.tif 000004
【図３】
2015195095.tif 000005
【図４】
2015195095.tif 000006
【図５】
2015195095.tif 000007
【図６】
2015195095.tif 000008
【図７】
2015195095.tif 000009
【図８】
2015195095.tif 000010
【図９】
2015195095.tif 000011
【図１０】
2015195095.tif 000012
【図１１】
2015195095.tif 000013
【図１２】
2015195095.tif 000014
【図１３】
2015195095.tif 000015
【図１４】
2015195095.tif 000016
【図１５】
2015195095.tif 000017
【図１６】
2015195095.tif 000018
【図１７】
2015195095.tif 000019
【図１８】
2015195095.tif 000020
【図１９】
2015195095.tif 000021
【図２０】
2015195095.tif 000022
【図２１】
2015195095.tif 000023
【図２２】
2015195095.tif 000024